(57)【要約】【課題】インターネットファクシミリ装置で受信した添付ファイルが展開できない場合、その旨を送信元に通知する通信装置を提供することにある。【解決手段】メール型の通信装置において、メールの添付ファイルを展開する添付ファイル作成・展開部９、添付ファイルが展開できない場合、その旨を送信元に通知するメール送受信部１０を備える。【選択図】        図１
2004289230.tif 000002
【特許請求の範囲】
【請求項１】
メール型の通信装置において、メールの添付ファイルを展開する添付ファイル作成・展開手段と、前記添付ファイルが展開できない場合、その旨を送信元に通知するメール送受信手段を備えることを特徴とする通信装置。
【請求項２】
前記添付ファイルがＴＩＦＦであるか否かを判別するＴＩＦＦ判別手段と、前記ＴＩＦＦ以外であることを送信元に通知するメール送受信手段を備えることを特徴とする請求項１記載の通信装置。
【請求項３】
ＩＦＤの前に圧縮画像データがあることを判別する圧縮画像データ判別手段を備えることを特徴とする請求項１記載の通信装置。
【請求項４】
添付ファイルを展開できない旨、送信元に通知するとともに、受信側のオペレータにも通知することを特徴とする請求項１記載の通信装置。
【請求項５】
添付ファイルが途中までしか展開できなかった場合、その旨を送信元に通知することを特徴とする請求項１記載の通信装置。
【請求項６】
添付ファイルがＴＩＦＦであった場合、途中まで展開できたＩＦＤ情報を送信元に通知することを特徴とする請求項５記載の通信装置。
【請求項７】
ＩＦＤ情報のうち、ファイル名を通知することを特徴とする請求項６記載の通信装置。
【請求項８】
ＩＦＤ情報のうち、途中まで展開できたページ数を通知することを特徴とする請求項６記載の通信装置。
【請求項９】
請求項１ないし８のいずれか１項に記載の通信装置を利用するインターネットファクシミリ装置。
【発明の詳細な説明】
【０００１】
【発明の属する技術分野】
本発明は、受信エラーを通知可能なインターネットファクシミリ装置等の通信装置に関するものである。
【０００２】
【従来の技術】
受信エラーとなったメールまたはそのメッセージＩＤを送信元に送り返す手段は従来から知られている（例えば、特許文献１参照）。
通信装置において、受信エラーとなったメールまたはそのメッセージＩＤを送信元に送り返す手段は特許文献１に開示されているが、受信エラーの理由（ＴＩＦＦではない、ＴＩＦＦの構造が違うなど）に関しては通知しておらず、改善が求められていた。
【特許文献１】特開平１１−３３１４７３号公報
【０００３】
【発明が解決しようとする課題】
従来技術において、メール型インターネットファクシミリ装置のごとき通信装置は、ファクス番号の代わりにメールアドレスを送信先に指定すると、スキャナから読み取った原稿を電子メールの添付ファイルとして送信する。また、メールを受信すると添付ファイルを展開し、受信画像として印刷する。
ところで、こうしたメール型インターネットファクシミリ装置による通信においては、送信先の受信能力を知る手段がない。そのため、通常のファクシミリ装置による通信のように、相手先の受信能力に合わせて、正常に受信できるような形式で送信することができない。したがって、受信側では受信した添付ファイルを正常に展開できないという問題が発生する。
添付ファイルの形式はＩＴＵ−Ｔ勧告Ｔ．３７においてＴＩＦＦ（タグイメージファイルフォーマット）と規定されており、インターネットファクシミリ装置の間の送受信はこれを用いる。
一方、一般のコンピュータから送信される添付ファイルにはＴＩＦＦ以外にも様々な形式がある。したがって、ＴＩＦＦ以外の添付ファイルをインターネットファクシミリ装置で受信すると正常に展開できないという問題が発生する。
ＴＩＦＦはＴＩＦＦヘッダ、ページ毎のＩＦＤ、ページ毎の圧縮画像データで構成され、ＴＩＦＦヘッダにはＴＩＦＦであることを示すＩＤが格納されている。これを参照して受信した添付ファイルがＴＩＦＦではない旨を送信元に通知する。
ＴＩＦＦには様々な種類がある。一般のコンピュータから送信される添付ファイルはＴＩＦＦであっても、その構造は様々である。特に、ＩＦＤの前に圧縮画像データが位置する構造が多い。ＩＦＤは圧縮画像データの属性が格納されているものであり、圧縮画像データを伸張するために必要な情報である。したがって、ＩＦＤを参照した後に、その情報を基に圧縮画像データを伸張しなければならない。
送信元のミスや通信回線上の不具合等により、添付ファイルが不完全な状態で送信された場合、これを受信したインターネットファクシミリ装置は途中までしか展開できないという問題が発生する。
そこで本発明の目的は、上記の問題点を解決するために、インターネットファクシミリ装置で受信した添付ファイルが展開できない場合、その旨を送信元に通知する通信装置を提供することにある。
【０００４】
【課題を解決するための手段】
前記の課題を解決するために、請求項１記載の発明では、メール型の通信装置において、メールの添付ファイルを展開する機能を有する制御手段、添付ファイルが展開できない場合、その旨を送信元に通知する機能を有する制御手段を備える通信装置を最も主要な特徴とする。
請求項２記載の発明では、添付ファイルがＴＩＦＦであるか否かを判別する機能を有する制御手段、ＴＩＦＦ以外であることを送信元に通知する機能を有する制御手段を備える請求項１記載の通信装置を主要な特徴とする。
請求項３記載の発明では、ＩＦＤの前に圧縮画像データがあることを判別する機能を有する制御手段を備える請求項１記載の通信装置を主要な特徴とする。
請求項４記載の発明では、添付ファイルを展開できない旨、送信元に通知するとともに、受信側のオペレータにも通知する機能を有する制御手段を備える請求項１記載の通信装置を主要な特徴とする。
請求項５記載の発明では、添付ファイルが途中までしか展開できなかった場合、その旨を送信元に通知する機能を有する制御手段を備える請求項１記載の通信装置を主要な特徴とする。
請求項６記載の発明では、添付ファイルがＴＩＦＦであった場合、途中まで展開できたＩＦＤ情報を送信元に通知する機能を有する制御手段を備える請求項５記載の通信装置を主要な特徴とする。
請求項７記載の発明では、ＩＦＤ情報のうち、ファイル名を通知する機能を有する制御手段を備える請求項６記載の通信装置を主要な特徴とする。
請求項８記載の発明では、ＩＦＤ情報のうち、途中まで展開できたページ数を通知する機能を有する制御手段を備える請求項６記載の通信装置を主要な特徴とする。
請求項９記載の発明では、請求項１ないし８のいずれか１項に記載の通信装置を利用するインターネットファクシミリ装置を最も主要な特徴とする。
【０００５】
【発明の実施の形態】
以下、図面により本発明の実施の形態を詳細に説明する。図１は本発明の通信装置のシステム構成を示す概略図である。本システムは通信装置Ａがインターネットファクシミリ装置の場合のシステム構成であり、送信原稿を読み込むスキャナ１、受信した画情報を印刷したり、各種レポートを印刷することのできるプロッタ２を有している。
また、画情報を圧縮伸張する符号化復号化部３、通信プロトコルを実行する通信制御部４、通信信号を変調復調するモデム７、回線に接続されて発呼や着呼を制御する網制御部８を有している。
さらに、所定のファクシミリの動作を制御するシステム制御部５、ユーザとの操作表示を行う操作表示部６、本発明で述べるような添付ファイルを作成・展開する添付ファイル作成・展開部９、ＬＡＮに接続されてメールの送受信を制御するメール送受信部１０から構成される。
図２はＴＩＦＦ（タグイメージファイルフォーマット）の構造を示す図である。
図２にはＩＴＵ−Ｔ勧告Ｔ．３７で規定されている添付ファイル、すなわちＴＩＦＦ（タグイメージファイルフォーマット）の構造を示している。
ＴＩＦＦは、ＴＩＦＦヘッダ２１と、ページ毎のＩＦＤ２２と圧縮画像データ２３の複数のペアから構成される。ＴＩＦＦヘッダ２１は、ＴＩＦＦ内のデータのバイトオーダ２４、このデータがＴＩＦＦであることを示すＩＤ２５、最初のＩＦＤの位置を示すオフセット２６から構成される。
ＩＦＤ２２はページ単位毎に存在し、対応するページの圧縮画像データの属性（例えば、主走査幅、副走査幅、解像度、圧縮方式、圧縮画像データの位置を示すオフセット、ページ数、ファイル等）が格納された複数のタグフィールド２８、それらのタグフィールドの総数２７、次のＩＦＤ２２の位置を示すオフセット２９から構成される。
【０００６】
図３は本発明の通信装置の動作の流れを説明するフローチャートである。図３において、まず、メールを受信すると、そのメールに添付ファイルが含まれているかを調べる（Ｓ２）。添付ファイルがあれば、添付ファイルを解析（Ｓ３）し、正常に展開できるかどうか判断する（Ｓ４）。
正常に展開できない（Ｓ４）ならば、エラー理由を送信元に通知して（Ｓ５）、通信を終了する。この場合に添エラー理由をレポート出力して（Ｓ６）から通信を終了することもできる。
また、添付ファイルがあれば、ＴＩＦＦヘッダ部分を解析（Ｓ７）し、ＴＩＦＦ  ＩＤがあるかどうか判断する（Ｓ８）。さらに、添付ファイルがあれば、ＩＦＤ部分を解析（Ｓ９）し、ＩＦＤに格納されている圧縮画像データのオフセットがそのＩＦＤよりも後に位置しているかどうか判断する（Ｓ１０）。
ＴＩＦＦはＴＩＦＦヘッダ、ページ毎のＩＦＤ、ページ毎の圧縮画像データで構成され、ＴＩＦＦヘッダにはＴＩＦＦであることを示しているＩＤが格納されている。これを参照して受信した添付ファイルがＴＩＦＦではない旨を送信元に通知する。
一般のコンピュータではＴＩＦＦデータをすべてメモリ上に格納した上で展開を行うので、ＩＦＤと圧縮画像データの順序は問題にならない。しかし、大容量のメモリを持たないインターネットファクシミリ装置では、ＴＩＦＦファイルを受信しながら展開するので、ＩＦＤの後に圧縮画像データが位置している必要がある。こうしたことから、ＩＦＤの前に圧縮画像データがある構造のＴＩＦＦを受信した場合は、展開できない旨を送信元に通知する。
前述したように、ステップ（Ｓ４）  、（Ｓ８）  、（Ｓ１０）における判断が否定であれば、それぞれのエラー理由を記載したメールを送信元に送信する。さらに、この場合に、前述のごとく、エラー理由を記載したレポートを自機出力することができる（Ｓ６）。
このように添付ファイルが展開できない旨を送信元に通知するとともに、受信したインターネットファクシミリ装置のオペレータにも通知する。
【０００７】
図４は本発明の通信装置のさらに他の動作の流れを説明するフローチャートである。図４において、まず、メールを受信する（Ｓ２１）と、そのメールに添付ファイルが含まれているかを調べる（Ｓ２２）。添付ファイルがあれば、添付ファイルを解析（Ｓ２３）し、正常に展開できたかどうか判断する（Ｓ２４）。
添付ファイルがあり、添付ファイルを解析し、途中までしか展開できずに中断した場合には、展開できたところまでの情報をメールに記載し、送信元に送信して（Ｓ２５）、通信を終了する。すなわち、中断の発生を送信元に自動的に通知できるようにしている。
また、添付ファイルがある場合、添付ファイルのヘッダ部分を解析（Ｓ２６）し、ＴＩＦＦ  ＩＤがあるかどうか判断する（Ｓ２７）。ＴＩＦＦ  ＩＤがあればＴＩＦＦ形式であると判断し、次にＩＦＤを解析（Ｓ２８）し、途中までしか展開できずに中断した場合（Ｓ２９）、展開できたところまでのＩＦＤ情報をメールに記載し、送信元に送信する（Ｓ３０）。
添付ファイルがＴＩＦＦであった場合、ＴＩＦＦの構造上、途中まで展開できればその画像に対する有効な情報が取得できる。図２に示すようにＴＩＦＦはＴＩＦＦヘッダ、１ページ目のＩＦＤ、１ページ目の圧縮画像データ、２ページ目のＩＦＤ、２ページ目の圧縮画像データ・・・で構成される。
ＩＦＤには圧縮画像データの解像度やページ数などの情報が格納されている。したがって、ＩＦＤさえ展開できれば添付ファイルの大要を判断できるので、これを送信元に通知できるようにしている。
また、ＩＦＤを解析（Ｓ２８）し、ファイル名を取得（Ｓ３１）し、途中までしか展開できずに中断した場合（Ｓ３２）、展開できたところまでのＩＦＤ情報をメールに記載し、ファイル名を送信元に送信する（Ｓ３３）。
ＩＦＤ情報のなかには、ファイル名が含まれている場合がある。このファイル名を送信元に通知できるようにしている。
さらに、ＩＦＤを解析（Ｓ２８）し、ページ数を取得（Ｓ３４）し、途中までしか展開できずに中断した場合（Ｓ３５）、展開できたところまでのＩＦＤ情報をメールに記載し、ページ数を送信元に送信する（Ｓ３６）。
ＩＦＤ情報のなかには、必ずページ数が含まれている。そこで、展開できたページ数を送信元に通知できるようにしている。
携帯電話、ネットワークファクシミリ装置等のごとき各端末によって受信できるファイルは限定される。この場合、メールは届いたが展開できない、あるいはファイルを削除して展開するという処理を行い、このような状況でも相手先へ通知することができる。
【０００８】
【発明の効果】
以上説明したように、請求項１によれば、通信装置が受信した添付ファイルを正常に展開できない場合、その旨を送信元に通知することにより、操作性が向上する。
請求項２によれば、受信した添付ファイルがＴＩＦＦではない場合、その旨を送信元に通知することができ、操作性が向上する。
請求項３によれば、ＴＩＦＦの構造に問題があって展開できない旨を送信元に通知することができ、操作性が向上する。
請求項４によれば、受信側のオペレータは添付ファイルが展開できない旨を知ることができ、操作性が向上する。
請求項５によれば、通信装置が受信した添付ファイルが途中までしか展開できない場合、送信元が再送しやすいように、展開できた時点までの情報をできるだけ送信元に通知することにより、利便性が向上する。
請求項６によれば、添付ファイルがＴＩＦＦならば、すべて展開できなくとも、途中まで展開できたＩＦＤ情報を送信元に通知することにより、エラーとなった添付ファイルを送信元が判断し、再送をすることが可能になる。
請求項７によれば、通信装置から通知されたファイル名から、送信元は再送すべき添付ファイルを容易に判断でき、利便性が向上する。
請求項８によれば、展開できたページ数を送信元に通知することで、送信元は残りのページだけを効率的に再送することが可能になる。
請求項９によれば、インターネットファクシミリ装置が受信した添付ファイルを正常に展開できない場合、その旨を送信元に通知することにより、操作性が向上する。
【図面の簡単な説明】
【図１】本発明の通信装置のシステム構成を示す概略図である。
【図２】ＴＩＦＦ（タグイメージファイルフォーマット）の構造を示す図である。
【図３】本発明の通信装置の動作の流れを説明するフローチャートである。
【図４】本発明の通信装置のさらに他の動作の流れを説明するフローチャートである。
【符号の説明】
Ａ  通信装置（インターネットファクシミリ装置）
４  通信制御部
５  システム制御部（制御手段）
９  添付ファイル作成・展開部
１０  メール送受信部
【図１】
2004289230.tif 000003
【図２】
2004289230.tif 000004
【図３】
2004289230.tif 000005
【図４】
2004289230.tif 000006